(57)【要約】【課題】  視覚障害者等が容易に選局できるようにしたテレビ受信機及び電子機器を提供する。【解決手段】  各種の操作信号を入力するサブリモコン１３と、テレビ放送のチャンネルを選局するチューナー１８と、チューナーにより選局されたチャンネルの映像を表示する表示装置２５と、チューナ１８により選局されたチャンネルの音声を出力するスピーカー２３、サブリモコン１３の特定の選局キーの操作信号を受信すると、当該選局キーによる選局情報に関連する情報（チャンネル番号・放送局名）をスピーカー２３により音声で出力させる制御部１５とを備えたものである。【選択図】        図１
2007027974.tif 000002
【特許請求の範囲】
【請求項１】
各種の操作信号を入力する操作部と、
テレビ放送のチャンネルを選局するチューナーと、
前記チューナーにより選局されたチャンネルの映像を表示する表示装置と、
前記チューナにより選局されたチャンネルの音声を出力する音声出力手段と、
前記操作部の操作信号の内、特定の選局キーの操作信号を受信すると、当該選局キーによる選局情報に関連する情報を前記音声出力手段により音声で出力させる制御部と
を備えたことを特徴とするテレビ受信機。
【請求項２】
前記制御部は、前記選局情報に関連する情報として、選択されたチャンネルのチャンネル番号及び放送局名のうち少なくとも一方を前記音声出力手段から出力させることを特徴とする請求項１記載のテレビ受信機。
【請求項３】
前記選局情報に関連したチャンネル番号及び放送局名のうち少なくとも一方の音声データがそれぞれ格納される記憶手段と、
前記記憶手段に格納された音声データを読み出して合成して音声出力手段に出力する音声合成処理部とを備え、
前記制御部は、前記特定の選局キーの操作信号を受信すると、前記音声合成処理部により当該選局キーによる選局情報に関連する情報を前記記憶手段から読み出させ、合成処理させて音声出力手段に出力させ、前記音声出力手段からチャンネル番号及び放送局名のうち少なくとも一方の音声を出力させることを特徴とする請求項１又は２記載のテレビ受信機。
【請求項４】
前記操作部は第１の操作部及び第２の操作部を備え、前記第２の操作部は前記特定の選局キーを含むことを特徴とする請求項１〜３の何れかに記載のテレビ受信機。
【請求項５】
前記第２の操作部は、前記特定の選局キーとして、アップ選局キー、ダウン選局キー及びチャンネル確認キーを含むことを特徴とする請求項４記載のテレビ受信機。
【請求項６】
前記制御部は、前記アップ選局キー又は前記ダウン選局キーが操作されると、現在のチャンネルをアップ又はダウンしたチャンネルのチャンネル番号及び放送局名のうち少なくとも一方の音声を前記音声出力手段から出力させることを特徴とする請求項５記載のテレビ受信機。
【請求項７】
前記制御部は、前記チャンネル確認キーが操作されると、現在のチャンネルのチャンネル番号及び放送局名のうち少なくとも一方の音声を前記音声出力手段から出力させることを特徴とする請求項５又は６記載のテレビ受信機。
【請求項８】
前記第１の操作部と前記第２の操作部とは、別体構造からなることを特徴とする請求項５記載のテレビ受信機。
【請求項９】
請求項１〜８の何れかにテレビ受信機を内蔵したことを特徴とする電子機器。
【請求項１０】
各種の操作信号を入力する操作部と、
テレビ放送のチャンネルを選局するチューナーと、
前記操作部の操作信号の内、特定の選局キーの操作信号を受信すると、当該選局キーによる選局情報に関連した情報の音声データを出力させる制御部と
を備えたことを特徴とする電子機器。
【発明の詳細な説明】
【技術分野】
【０００１】
本発明は、視覚障害者等による使い勝手を考慮したテレビ受信機及び電子機器に関する。
【背景技術】
【０００２】
視覚障害者はテレビ放送の映像が見えない（又は見づらい）が、その音声だけ聞きたいということがある。しかしながら、通常のリモコンは健常者を対象として設計されているので、視覚障害者にとって選局が困難な場合があった。このようなことから、例えば「現在のチャンネルにてチャンネルアップキーとチャンネルダウンキーを同時に押すことで予め設定した基準チャンネルを選択する…」ようにしたリモコン装置が提案されている（例えば特許文献１参照）。
【特許文献１】特開平８−１２６０７３号公報
【発明の開示】
【発明が解決しようとする課題】
【０００３】
しかし、上記の特許文献１によって提案されているリモコン装置においては、所望の放送局が基準チャンネルではない場合には、キーを同時押しして基準チャンネルに合わせた後に、そこから何番目というようにボタンを押して選局しなければならず、局数が多くなる場合には分からなくなることがある。また、選局キーを押すタイミングによりテレビ受信機側でダイレクトに反応しない場合があり、所望の放送局が選局できないという問題点があった。
【０００４】
本発明は、このような問題点を解決するためになされたものであり、視覚障害者等が容易に選局できるようにしたテレビ受信機及び電子機器を提供することを目的とする。
【課題を解決するための手段】
【０００５】
本発明に係るテレビ受信機は、各種の操作信号を入力する操作部と、テレビ放送のチャンネルを選局するチューナーと、前記チューナーにより選局されたチャンネルの映像を表示する表示装置と、前記チューナにより選局されたチャンネルの音声を出力する音声出力手段と、前記操作部の操作信号の内、特定の選局キーの操作信号を受信すると、当該選局キーによる選局情報に関連する情報を前記音声出力手段により音声で出力させる制御部とを備えたものである。本発明においては、特定の選局キー（例えば後述の図２参照）の操作信号を受信すると、当該選局キーによる選局情報に関連する情報（例えばチャンネル番号、放送局名）を音声出力手段により音声により案内させるようにしたので、視覚障害者が選局を容易にできるようになっている。
【０００６】
本発明に係るテレビ受信機において、前記制御部は、前記選局情報に関連する情報として、選択されたチャンネルのチャンネル番号及び放送局名のうち少なくとも一方を前記音声出力手段から出力させる。本発明においては、選択されたチャンネルのチャンネル番号及び放送局名のうち少なくとも一方を前記音声出力手段から出力するようにしたので、視覚障害者が選局を容易にできるようになっている。
【０００７】
本発明に係るテレビ受信機は、前記選局情報に関連するチャンネル番号及び放送局名のうち少なくとも一方の音声データがそれぞれ格納される記憶手段と、前記記憶手段に格納された音声データを読み出して合成して音声出力手段に出力する音声合成処理部とを備え、前記制御部は、前記特定の選局キーの操作信号を受信すると、前記音声合成処理部により当該選局キーによる選局情報に関連した情報を前記記憶手段から読み出させ、合成処理させて音声出力手段に出力させ、前記音声出力手段からチャンネル番号及び放送局名のうち少なくとも一方の音声を出力させる。
【０００８】
本発明に係るテレビ受信機において、前記操作部は、第１の操作部及び第２の操作部を備え、前記第２の操作部は前記特定の選局キーを含むものである。
【０００９】
本発明に係るテレビ受信機において、前記第２の操作部は、前記特定の選局キーとして、アップ選局キー、ダウン選局キー及びチャンネル確認キーを含むものである。
【００１０】
本発明に係るテレビ受信機において、前記制御部は、前記アップ選局キー又は前記ダウン選局キーが操作されると、現在のチャンネルをアップ又はダウンしたチャンネルのチャンネル番号及び放送局名のうち少なくとも一方の音声を前記音声出力手段から出力させる。
【００１１】
本発明に係るテレビ受信機において、前記制御部は、チャンネル確認キーが操作されると、現在のチャンネルのチャンネル番号及び放送局名のうち少なくとも一方の音声を前記音声出力手段から出力させる。
【００１２】
本発明に係るテレビ受信機において、前記第１の操作部と前記第２の操作部とは別体構造からなる。本発明においては、第２の操作部を第１の操作部と別体構造としたので、第２の操作部の操作キーの種類／個数を限定することにより操作し易いものとなる。
【００１３】
本発明に係る電子機器は、上記のレビ受信機を内蔵したものである。
また、本発明に係る電子機器は、各種の操作信号を入力する操作部と、テレビ放送のチャンネルを選局するチューナーと、前記操作部の操作信号の内、特定の選局キーの操作信号を受信すると、当該選局キーによる選局情報に関連する情報に対応した音声データを出力させる制御部とを備えたものである。
【発明を実施するための最良の形態】
【００１４】
実施形態１．
図１は本発明の実施形態１に係るテレビ受信機の構成を示すブロック図である。このテレビ受信機は、メインリモコン１１、リモコン受信部１２、サブリモコン１３、キー入力処理部１４、制御部１５、選局処理部１６、プリセット情報保持部１７、チューナー１８、映像音声処理部１９、音声データＲＯＭ２０、音声合成処理部２１、音声出力部２２、スピーカー２３、映像出力部２４及び表示装置２５から構成されている。なお、メインリモコン１１は本発明の第１の操作部に相当し、サブリモコン１３は本発明の第２の操作部に相当するものである。また、音声出力部２２及びスピーカー２３は本発明の音声出力手段に相当する。
【００１５】
メインリモコン１１は、選局キー（ダイレクト選局キー、アップ・ダウン選局キー）等を備えており、視聴者によって操作される。リモコン１１による操作信号はリモコン受信部１２を介してキー入力処理部１４に入力し、キー入力処理部１４において解析されて操作信号に対応した操作信号が制御部１５に出力される。制御部１５はその操作信号に対応した処理を行い、例えばダイレクト選局キーが操作された場合にはその操作信号を選局処理部１６に出力する。また、アップ・ダウン選局キーが操作された場合には、現在の選局情報に対してアップ（加算）又はダウン（減算）してその選局情報（ダイレクト選局キーに相当する数値情報）を選局処理部１６に出力する。プリセット情報保持部１７には例えばダイレクト選局キー（数値キー）と受信チャンネル信号との関係がプリセット情報として保持されており、選局処理部１６は制御部１５からの選局情報を入力すると、その選局情報に対応した受信チャンネル信号をプリセット情報保持部１７から読み出してチューナー１８に出力する。チューナー１８ではその受信チャンネル信号に対応したチャンネルが選局される。
【００１６】
チューナー１８は例えばアンテナ（図示せず）と接続されており、このテレビ受信機がデジタル放送を受信する形式のものである場合には、アンテナは周波数変換器を備えており、例えばＢＳ（Broadcasting Satellite：放送衛星）、ＣＳ（Communication Satellite）又は地上デジタル放送局から送信されてくるデジタル放送信号を受信して、周波数変換した信号をチューナー１８に出力する。チューナー１８は、復調回路、逆インタリーブ回路、誤り訂正回路等を備えており、映像・音声データを含む高周波デジタル変調信号のうちから特定周波数の信号を取り出す処理をする。すなわち、デジタル放送の複数のトランスポンダのなかから一つを選択する処理を行う。
【００１７】
映像音声処理部１９は、デマルチプレクサ、ビデオデコーダー、オーディオデコーダー、検波回路等を内蔵しており、前記トランスポート・ストリームを、デマルチプレクサにより例えばオーディオストリーム、ＭＰＥＧ２（Moving Picture Experts Group2）のビデオストリーム等に分離する。オーディオストリームについては、ビデオデコーダーが入力された符号化信号を復号して音声信号（音声データ）を生成し音声出力部２２に出力する。音声出力部２２はその音声信号をＤ／Ａ変換し、例えば右（Ｒ）音のアナログ信号及び左（Ｌ）音のアナログ信号を生成して増幅し、スピーカー２３に出力することでスピーカー２３から音声が得られる。
【００１８】
また、ビデオストリームについては、ビデオデコーダーにより処理して、入力された可変長符号を復号して量子化係数や動きベクトルを求め、逆ＤＣＴ変換や動きベクトルに基づく動き補償制御等を行って映像出力部２４に出力する。映像出力部２４は、映像音声処理部１９からの映像信号に基づいて表示装置２５に表示させる映像信号を生成するものであり、表示装置２５が例えば液晶パネルから構成されている場合には、スケーラ−／ＯＳＤ（オンスクリーンデスプレイ）処理回路、フレームメモリ等を内蔵し、例えばフレームメモリにフレーム毎にフレーム画像を生成し、そのフレーム画像（映像信号）を読み出してＤ／Ａ変換を行い、例えばコンポジット映像信号に変換して表示装置２５に出力し、表示装置２５はその映像信号によるＴＶ映像等を表示する。
【００１９】
また、サブリモコン１３はサブリモコン端子１３ａを介してコード（有線）１３ｂによりキー入力処理部１４に接続されており、サブリモコン１３が操作されると、その操作信号がキー入力処理部１４により上記のメインリモコン１１の場合と同様にして処理され、その操作信号が選局キーの場合には同様にしてチャンネルが選局されることになる。但し、サブリモコン１３が操作された場合には、そのような処理に加えて、制御部１５は選局キーにより選局された選局情報に対応した制御信号を音声合成処理部２１に出力する。音声データＲＯＭ２０には選局情報に関連した情報、即ち、プリセット情報保持部１７のプリセット情報に対応した音声データ（例えばチャンネル番号・放送局名）が格納されており、音声合成処理部２１は制御部１５からの制御信号に基づいて音声データＲＯＭ２０から該当する音声データを読み出し、合成処理をして音声出力部２２に出力し、スピーカー２３からサブリモコン１３の操作により選局されたチャンネルのチャンネル番号・放送局名の音声が得られる。
【００２０】
図２（ａ）（ｂ）は、サブリモコン１３の構成例を示した図である。同図（ａ）のサブリモコン１３は、選局キーに関してはアップ選局キー３１、ダウン選局キー３２及びチャンネル確認キー３３から構成されており、チャンネル確認キー３３はアップ選局キー３１とダウン選局キー３２との間に設けられている。また、音量キーとしてアップキー３４及びダウンキー３５が設けられている。同図（ｂ）のサブリモコン１３は、例えばロータリスイッチからなる選局キー３６及び音量キー３７が設けられており、チャンネルを確認する際には選局キー３６を押すことにより、上記のチャンネル確認キー３３と同様な操作信号が得られるようにしてある。なお、上記のキー３１〜３３，３６，３７は本発明の特定の選局キーに相当するものである。
【００２１】
図３は制御部１５の操作を示したフローチャートである。制御部１５は、キー入力処理部１４を介してキー入力を検出すると（Ｓ１１）、それがサブリモコン１３の選局キーの操作信号であるかどうかを判断し（Ｓ１２）、サブリモコン１３の選局キーの操作信号ではないという判断をした場合には、次に、チャンネル確認キー３３の操作信号であるかどうかを判断する（Ｓ１３）。チャンネル確認キー３３の操作信号ではなかった場合には、その他のキー処理を行う（Ｓ１４）。例えばキー入力として、メインリモコン１１の選局キーの操作信号が入力すると、上述のようにチューナー１８はその選局キーに相当するチャンネルに選局され、表示装置２５にはそのチャンネルのＴＶ映像が表示され、スピーカー２３からはそのチャンネルの音声が得られる。そして、制御部１５はキー入力待ちの状態になる（Ｓ１５）。
【００２２】
また、サブリモコン１３の選局キーが操作された場合には、制御部１５は、上記の判断（Ｓ１２）においてサブリモコン１３の選局キー（例えばアップ選局キー３１、ダウン選局キー３２）の操作信号であると判断し、選局処理をする（Ｓ１６）。この場合にはメインリモコン１１の選局キーが入力された場合と同様の処理をする。制御部１５は、その後、その選局キーによる選局情報に基づいた制御信号を音声合成処理部２１に対して出力し、音声合成処理部２１は音声データＲＯＭ２０から選局情報に対応した音声データ（チャンネル番号・放送局名）を音声出力部２２に出力し、スピーカー２３から例えばチャンネル番号・放送局名が音声により案内され始める（Ｓ１７）。これによって、利用者がサブリモコン１３の選局キーが操作したときにその操作内容を音声により把握することができる。
【００２３】
また、チャンネル確認キー３３が操作された場合には、制御部１５は、上記の判断（Ｓ１３）においてサブリモコン１３のチャンネル確認キー３３の操作信号であると判断し、そのときに選択されているチャンネルに対応した選局情報に基づいた制御信号を音声合成処理部２１に出力し、音声合成処理部２１は音声データＲＯＭ２０からの選局情報に対応した音声データを音声出力部２２に出力し、スピーカー２３から例えばチャンネル番号・放送局名が音声により案内され始める（Ｓ１７）。このようにして、スピーカー２３からチャンネル番号・放送局名が音声で出力されることにより、チャンネル番号・放送局名を把握することができる。
【００２４】
ここで、図２（ａ）のサブリモコン１３の操作に着目して図３のフローチャートを説明すると、視聴者がサブリモコン１３のチャンネル確認キー３３を操作することにより現在選局されているチャンネル番号・放送局名がスピーカー２３から音声により案内される（Ｓ１１〜Ｓ１３，Ｓ１７）。また、サブリモコン１３のアップ選局キー３１又はダウン選局キー３２を操作するたびに、同様にしてチャンネル番号・放送局名がスピーカー２３から音声により案内される（Ｓ１１，Ｓ１２，Ｓ１６，Ｓ１７）。そして、何れの場合においても、チャンネル番号・放送局名がスピーカー２３から音声で出力されている途中で、次のキー入力があった場合には、制御部１５はその音声出力を中止し、次のキー入力に対する処理に移行するものとする。
【００２５】
なお、上記の説明は図２（ａ）のサブリモコン１３を使用した場合の例について説明したが、図２（ｂ）のサブリモコン１３の場合においても同様に適用される。その場合には、選局キー３６を右に回転させることでアップ選局キーとして機能し、左に回転させることでダウン選局キーとして機能し、選局キー３６を押すことによりチャンネル確認キーとして機能する。
【００２６】
以上のように本実施形態１においては、サブリモコン１３の選局キーを操作すると、その選局情報に関連した情報（チャンネル番号・放送局名）が音声として得られるので、視覚障害者であっても所望のチャンネルを容易に選局することが可能になっている。また、サブリモコン１３を、メインリモコン１１とは別体構造とし、操作キーの種類／個数を限定したことにより操作し易いものとなっている。
【００２７】
実施形態２．
なお、上記の実施形態１においては、サブリモコン１３がコード１３ｂを介してキー入力処理部１４と接続する例について説明したが、メインリモコン１１と同様に赤外線を利用して操作信号を送信するようにしてもよい。また、メインリモコン１１とサブリモコン１３とを別体構造にした例について説明したが、サブリモコン１３をメインリモコン１１に組み込むようにしてもよい。そのようにした場合には、サブリモコン１３のキーをメインリモコン１１のキーと簡単に区別できるようにするのが好ましい（例えばキーの形状、キーの配置）。また、上記の実施形態１においては、チャンネル番号・放送局名の音声が得られる例について説明したが何れか一方だけであってもよい。
【００２８】
また、上記の実施形態１においては、デジタル放送のテレビ受信機の例について説明したが、アナログ放送のものであってもよく、また、テレビ受信機を内蔵した携帯電話、ＰＤＡ（Personal Digital Assistant）等の電子機器においても本発明は同様に適用することができる。
【００２９】
また、上記の実施形態１においてはテレビ受信機の例であるが、スピーカー２３や表示装置２５を搭載しないデジタルチューナー等の電子機器にも本発明は同様に適用することができ、その場合にはチャンネル番号・放送局名の音声データを出力し、テレビ受信機のスピーカーからその音声を得ることになる。
【図面の簡単な説明】
【００３０】
【図１】本発明の実施形態１に係るテレビ受信機の構成を示すブロック図。
【図２】サブリモコンの正面図。
【図３】制御部の動作を示すフローチャート。
【符号の説明】
【００３１】
１１  メインリモコン、１２  リモコン受信部、１３  サブリモコン、１４  キー入力処理部、１５  制御部、１６  選局処理部、１７  プリセット情報保持部、１８  チューナー、１９  映像音声処理部、２０  音声データＲＯＭ、２１  音声合成処理部、２２  音声出力部、２３  スピーカー、２４  映像出力部、２５  表示装置。
【図１】
2007027974.tif 000003
【図２】
2007027974.tif 000004
【図３】
2007027974.tif 000005